(57)【要約】【課題】１つの電流検知部で、並列接続されたリアクタのどちらか一方でも断線した場合に、断線検出する。【解決手段】交流電源の一端に接続されたリアクタ２と、リアクタ２に流れる電流を検知するリアクタ電流検知部９と、前記リアクタ２及びリアクタ電流検出部９ に対して並列接続された第２のリアクタ３と、交流電源を整流するブリッジ整流回路４と、ブリッジ整流回路４の出力端に接続され直流電圧に平滑する平滑コンデンサ５と、インバータ部６と、インバータ部６の制御を行なう制御部８と、圧縮機７から構成され、リアクタ電流検知部９の出力から、リアクタ２又はリアクタ３の断線を検知することで、片方のリアクタが断線状態で、残りのリアクタでの過熱運転を防止することができる。【選択図】図１
2007218451.tif 000002
【特許請求の範囲】
【請求項１】
交流電源と、この交流電源のどちらか一方のラインに接続されたリアクタと、このリアクタに流れる電流を検出するリアクタ電流検知部と、前記リアクタ及びリアクタ電流検知部に対して並列接続された第２のリアクタと、これらのリアクタの後ろに設けられ前記交流電源を整流するブリッジ整流回路と、このブリッジ整流回路の直流出力端に接続された平滑コンデンサと、この平滑コンデンサで平滑された直流電圧を圧縮機駆動電源に変換するインバータ部と、このインバータ部の出力によって駆動される圧縮機と、前記インバータ部の制御を行う制御部を備え、前記制御部は前記交流電源オン時の前記平滑コンデンサへの充電電流を検知した前記リアクタ電流検知部の出力から、前記リアクタもしくは前記並列接続された第２のリアクタへの断線を検出し、前記圧縮機の運転を行なわないことを特徴とした空気調和機。
【発明の詳細な説明】
【技術分野】
【０００１】
本発明は、空気調和機の室外機における電源回路のリアクタの故障時の保護に関するものである。
【背景技術】
【０００２】
図１は、従来の空気調和機の室外機の電気回路を示すものである。図１に示すように、交流電源１と、この交流電源のどちらか一方のラインに接続されたリアクタ２と、このリアクタに流れる電流を検出するリアクタ電流検知部９と、前記リアクタ及びリアクタ電流検知部に対して並列接続された第２のリアクタ３と、これらのリアクタの後ろに設けられ前記交流電源を整流するブリッジ整流回路４と、このブリッジ整流回路の直流出力端に接続された平滑コンデンサ５と、この平滑コンデンサで平滑された直流電圧を圧縮機駆動電源に変換するインバータ部６と、このインバータ部の出力によって駆動される圧縮機７と、前記インバータ部の制御を行う制御部８から構成されている。
【０００３】
前記制御部８は前記リアクタ電流検知部９の出力から前記リアクタ２の断線もしくは前記並列接続された第２のリアクタ３への過電流を検出し、前記インバータ部６を制御して前記リアクタ２および前記並列接続された第２のリアクタ３に過電流が流れるのを防止している（例えば、特許文献１参照）。
【特許文献１】特開２００５−３４８４７６号公報
【発明の開示】
【発明が解決しようとする課題】
【０００４】
しかしながら、前記従来の検知制御では、リアクタ及びリアクタ電流検知部に対して並列接続された第２のリアクタが断線している場合でも、圧縮機が軽〜中負荷時に運転電流値がリアクタ２個の正常動作時の過電流検知レベル以下では低くなり、残りのリアクタだけに１個のリアクタの上限を超える電流が流れても、リアクタ電流検知部が過電流として検知しないため、過大発熱しながら通常動作してしまうという課題があった。
【０００５】
本発明は、前記従来の課題を解決するもので、交流電源オン時の平滑コンデンサへの充電電流を検出することにより、並列接続されたリアクタのどちらか片方のみ断線している場合にも断線検知可能となり、片方のリアクタが断線状態で、残りのリアクタでの過熱運転を防止できる空気調和機を提供することを目的とする。
【課題を解決するための手段】
【０００６】
前記従来の課題を解決するために、本発明の空気調和機は、リアクタ電流検知部で交流電源オン時の平滑コンデンサへの充電電流を検出するものである。
【０００７】
これによって、充電電流がゼロの場合にはリアクタ電流検知部側のリアクタの断線と判断し、充電電流が通常より小さい場合にはリアクタ電流検知部と並列接続されたリアクタの断線と判断できるため、片方のリアクタが断線状態で、残りのリアクタでの過熱運転を防止することが出来る。
【発明の効果】
【０００８】
本発明の空気調和機は、１つのリアクタ電流検知部のみで、並列接続されたリアクタのどちらか一方が断線している場合でも、断線状態を検知できるため、片方のリアクタが断線状態で、残りのリアクタでの過熱運転を防止することが出来る。
【発明を実施するための最良の形態】
【０００９】
第１の発明は並列接続されたリアクタのどちらか一方に流れる電流を検知するリアクタ電流検知部を設けることにより、リアクタ電流検知部の電流からどちらか一方でも断線していればリアクタの断線を検出し、断線状態での運転を防止することができる。
【００１０】
以下に、本発明の実施の形態について図面を参照しながら説明する。なお、この実施の形態によって本発明が限定されるものではない。
【００１１】
（実施の形態１）
図１は、本発明の実施の形態１における空気調和機の室外機の電気回路図を示すものである。従来の技術と同様の構成であるため同じ番号を付与し、詳細な説明を割愛する。
【００１２】
まず、交流電源１のオンしたとき平滑コンデンサ５に充電電流が流れるが、充電中の所定のタイミングでの電流値を基準電流として制御部８で記憶しておく。
【００１３】
次に、図２のフローチャートを用い、本発明のリアクタ断線検出方法について説明する。まず、ステップ２ａのＳＴＡＲＴで処理を開始し、ステップ２ｂの充電電流検出でリアクタ電流検知部９から充電電流値を測定する。
【００１４】
ステップ２ｂで得られた充電電流と基準電流をステップ２ｃで比較し、充電電流＝基準電流であれば、リアクタ断線なしと判断できステップ２ｄに移行し運転開始、充電電流≠基準電圧であれば、ステップ２ｅに移行する。
【００１５】
ステップ２ｂで得られた充電電流と基準電流をステップ２ｅで比較し、充電電流＝０であれば、リアクタ２が断線していると判断しステップ２ｆへ移行し異常出力を行い、充電電流≠０であれば、ステップ２ｇに移行する。
【００１６】
ステップ２ｂで得られた充電電流と基準電流をステップ２ｇで比較し、充電電流＜基準電流であれば、第２のリアクタ３が断線していると判断しステップ２ｈへ移行し異常出力を行い、充電電流＞基準電流であれば、リアクタ２が短絡していると判断しステップ２ｉへ移行し異常出力を行なう。
【００１７】
以上のように、リアクタ２および並列接続された第２のリアクタ３が接続されていれば、基準電流値となるが、リアクタ２が断線している場合には、リアクタ電流検知部９に電流は流れず出力はゼロになり、一方第２のリアクタ３が断線している場合には、リアクタのインダクタンスが大きくなるため正常な状態の電流値よりも小さい値となるため、並列接続されたリアクタのどちらが断線していたとしても検出することが可能であり、片方のリアクタが断線状態で、残りのリアクタでの過熱運転を防止することができる。
【産業上の利用可能性】
【００１８】
以上のように、本発明にかかる空気調和機は、リアクタの並列接続で使用している場合の並列接続されたリアクタのどちらか一方のみの断線も検出可能となるので、同一回路構成のモータ駆動装置等の用途にも適用できる。
【図面の簡単な説明】
【００１９】
【図１】本発明の実施の形態１における空気調和機の室外機の電気回路図
【図２】本発明の実施の形態１における断線検知制御のフローチャート
【符号の説明】
【００２０】
１  交流電源
２  リアクタ
３  第２のリアクタ
４  ブリッジ整流回路
５  平滑コンデンサ
６  インバータ部
７  圧縮機
８  制御部
９  リアクタ電流検知部
【図１】
2007218451.tif 000003
【図２】
2007218451.tif 000004